(57)【要約】【課題】各海底機器の状態監視精度を維持しつつ、全体的な状態監視時間を短くできる海底ケーブルシステムを提供すること。【解決手段】各海底機器２２１  〜２２ｎ  を、２乃至（ｎ／２）の範囲の複数グループＧ１，Ｇ２，……にグループ分けすると共に、各グループＧ１，Ｇ２，……に含まれる少なくとも一の海底機器を、同一グループ内の他の各海底機器の動作状態を状態監視データとして捕捉し集約する機能を備えた監視情報集約型海底機器により構成すると共に、  この各監視情報集約型海底機器が、前記各海底機器の動作状態にかかる前記状態監視データを収集した集約監視データＳＳとして前記基地局３に対して送信する監視情報送信機能２２Ｇを備えていること。【選択図】  図１
2014197788.tif 000002
【特許請求の範囲】
【請求項１】
海底中継伝送路とその両端に接続された陸地側設置の海岸局装置（基地局）とを備え、  前記海底中継伝送路が、光ファイバを内蔵し一方と他方の基地局相互間を接続する海底光ケーブルと、この海底光ケーブルに所定間隔を隔てて装備され前記光ファイバ内を伝搬する光信号の信号レベル補償用の光増幅回路を内蔵した海底中継装置を含む複数の海底機器とを備えて構成されて成る海底光ケーブルシステムであって、
前記各海底機器を複数のグループにグループ分けすると共に、各グループに含まれる少なくとも一の海底機器を、同一グループ内の他の各海底機器の動作状態を状態監視データとして捕捉し集約する機能を備えた監視情報集約型海底機器により構成すると共に、
この各監視情報集約型海底機器が、前記各海底機器の動作状態にかかる前記状態監視データを収集した集約監視データとして前記基地局に対して送信する監視情報送信機能を備えていることを特徴とした海底光ケーブルシステム。
【請求項２】
請求項１に記載の海底光ケーブルシステムにおいて、
前記監視情報集約型海底機器及び前記各海底機器は、
前記基地局からの状態監視指令に基づいて作動し自己の海底機器全体の異常の有無を捕捉しこれを状態監視データとして記憶部に記憶する状態監視部を備え、
前記監視情報集約型海底機器を除く前記各海底機器は、この保持された状態監視データを応答監視データとして前記監視情報集約型海底機器に向けて送信する応答監視データ送信機能を備えていることを特徴とした海底光ケーブルシステム。
【請求項３】
請求項２に記載の海底光ケーブルシステムにおいて、
前記監視情報集約型海底機器は、前記各海底機器から送られてくる応答監視データを自己の海底機器にかかる応答監視データと共に集約監視データとして記憶する集約データ記憶部を備えると共に、この記憶された集約監視データを前記基地局に送信する集約監視データ送信部とを備えていることを特徴とした海底光ケーブルシステム。
【請求項４】
請求項１乃至３の何れか一つに記載の海底光ケーブルシステムにおいて、
前記監視情報集約型海底機器及び前記各海底機器は、それぞれが海底光ケーブル内の光ファイバ中を伝搬する光信号の信号レベル補償用の光増幅回路を内蔵した海底中継器をベースとして構成されたものであることを特徴とした海底光ケーブルシステム。
【請求項５】
請求項１乃至４の何れか一つに記載の海底光ケーブルシステムにおいて、
前記海岸局装置（基地局）は、
前記各海底機器に対する状態監視指令を生成する状態監視指令発信部と、この生成された状態監視指令を前記海底ケーブルを介して前記各海底機器に送信すると共に前記監視情報集約型海底機器から送られてくる応答信号である集約監視データを受信する信号送受信部と、
この受信された集約監視データを前記海底機器毎に分析し前記監視情報集約型海底機器を含む前記各海底機器毎に当該海底機器の動作状態が正常か否かを出力表示する分析結果出力表示部とを備えていることを特徴とした海底光ケーブルシステム。
【請求項６】
海底光ケーブルシステムの要部を成す海底光ケーブルに複数の他の海底機器と共に装備された監視情報集約型海底機器であって、
前記海底光ケーブルを介して前記海底光ケーブルシステムの基地局から送られて来る状態監視指令信号を受信信号変換部を介して受信する信号受信部と、
この受信された信号が前記基地局から発信された海底機器に対する状態監視指令か否かを判定すると共に、状態監視指令であると判定された場合に直ちに稼働して予め装備され自機の動作状態を監視する状態監視部に対して動作指令を発信する信号判別部と、
前記状態監視部が稼働して取得した状態監視データを他の海底機器から送り込まれる他機監視データと共に集約監視データとして記憶する集約監視データ記憶部と、
この記憶された集約監視データを所定のタイミングで前記基地局へ送信する集約監視データ送信部とを備えたことを特徴とした監視情報集約型海底機器。
【請求項７】
海底中継伝送路と、その両端に接続された陸地側設置の海岸局装置（基地局）とを備え、前記海底中継伝送路が、光ファイバを内蔵し一方と他方の基地局相互間を接続する海底光ケーブルと、この海底光ケーブルに所定間隔を隔てて装備され前記光ファイバ内を伝搬する光信号の信号レベル補償用の光増幅回路を内蔵した海底中継装置を含む複数の海底機器とを備えて構成されて成る海底光ケーブルシステムにあって、
予め複数にグループ分けされた各海底機器に対し、当該各海底機器の動作状態を監視する状態監視指令を前記基地局が発信し、
この基地局からの状態監視指令に基づいて稼働し前記各海底機器が自機の稼働状態を監視しその監視結果を状態監視データとして保持すると共に当該状態監視データを前記海底光ケーブルを介して出力し、
この出力された状態監視データを同一グループ内の予め特定された一の海底機器が前記海底光ケーブルを介して受信し当該受信した前記状態監視データが同一グループ内の他の海底機器からの状態監視データか否かを判定し同一グループ内の他機の状態監視データのみを取り込んで格納し、
前記一の海底機器に取り込まれた同一グループ内の他機の状態監視データを当該一の海底機器が自機の状態監視データと共に集約し集約監視データとして保持し、
この集約された同一グループ内の集約監視データを前記各グループの一の海底機器が別々に所定のタイミングで前記基地局へ送信するようにしたことを特徴とする海底光ケーブルシステム監視方法。
【請求項８】
請求項７に記載の海底光ケーブルシステム監視方法において、
前記基地局への集約監視データの送信する工程にあっては、前記状態監視データが受信されていない海底機器については、異常発生にかかる海底機器としてこれに対応する前記状態監視データが無い状態の集約監視データを、そのまま送信対象とすることを特徴とした海底光ケーブルシステム監視方法。
【請求項９】
海底中継伝送路と、その両端に接続された陸地側設置の海岸局装置（基地局）とを備え、前記海底中継伝送路が、光ファイバを内蔵し一方と他方の基地局相互間を接続する海底光ケーブルと、この海底光ケーブルに所定間隔を隔てて装備され前記光ファイバ内を伝搬する光信号の信号レベル補償用の光増幅回路を内蔵した海底中継装置を含む複数の海底機器とを備えて構成されて成る海底光ケーブルシステムにあって、
前記基地局から発信される状態監視指令に基づいて稼働し予め複数にグループ分けされた各海底機器から自機の稼働状態を監視して成る状態監視データが出力された場合に機能し、当該各海底機器の状態監視データをグループ毎に分けて受信する監視データ受信処理機能、
この各海底機器から出力される状態監視データが同一グループ内の各海底機器からの状態監視データか否かを判定し、当該各状態監視データを同一グループ内の各海底機器の識別子に対応させて収集しグループ毎に保持する監視データ集約処理機能、
およびこの収集された同一グループ内の各海底機器の状態監視データを、グループ毎に所定のタイミングで海底光ケーブルを介して前記基地局へ送信する集約監視データ送信処理機能、とを設け、
これらの各処理機能を、予め前記海底機器の各グループ毎に設置したコンピュータに個別に実現させるようにしたことを特徴とする海底光ケーブルシステム監視プログラム。
【請求項１０】
海底中継伝送路と、その両端に接続された陸地側設置の海岸局装置（基地局）とを備え、前記海底中継伝送路が、光ファイバを内蔵し一方と他方の基地局相互間を接続する海底光ケーブルと、この海底光ケーブルに所定間隔を隔てて装備され前記光ファイバ内を伝搬する光信号の信号レベル補償用の光増幅回路を内蔵した海底中継装置を含む複数の海底機器とを備えて構成されて成る海底光ケーブルシステムにあって、
前記一方の基地局に送られてくる各グループ毎の複数の集約監視データを、当該基地局側に前記各海底機器について予め設定された識別子に基づいて分析し整理統合する監視データ分析処理機能、
および前記各集約監視データに、対応する前記状態監視データの無い海底機器についてはこれを障害発生にかかる異常海底機器として特定し正常海底機器と共に予め装備した表示部に表示する集約監視データ表示処理機能、とを設け、
この各処理機能を、予め前記基地局に設置したコンピュータに実現させるようにしたことを特徴とする海底光ケーブルシステム監視プログラム。
【発明の詳細な説明】
【技術分野】
【０００１】
本発明は、海底光ケーブルシステムに係り、特に、地上の基地局間を結んで海底に布設された海底光ケーブルの途中に設けられている複数の各海底機器に生じる異常状態の発生を監視するための海底光ケーブルシステム、監視情報集約型海底機器、システム監視方法、及びその監視用プログラムに関する。
【背景技術】
【０００２】
従来、海底ケーブルシステムでは、地上の一方の陸地と他方の陸地に設けられた各基地局（海岸局装置）と、当該基地局相互間を結んで海底に布設された海底中継伝送路とにより構成されている。
この内、海底中継伝送路は、その基本的な構成して、光信号伝送用の光ファイバから成る海底光ケーブルと、この海底光ケーブル上にあって所定間隔をもって設置され光ファイバ中の光信号の信号レベルを補償する光増幅回路を内蔵した複数の海底中継装置とを備えている。
【０００３】
又、上記海底光ケーブルには、例えば３局以上の陸揚げ局を結ぶシステムにあってはその分岐点に、前述した海底中継装置の機能を備えた海中分岐装置が設置されている。
これら海底光ケーブル上にあって設置される各種の装置を、本明細書では海底機器として取り扱うものとする。
【０００４】
上記海底機器は、上記した光増幅回路の外に、当該光増幅回路の動作（即ち、海底機器の内部動作）を監視し，或いは障害を探索し，更には各部の動作を制御するための監視回路および電源回路が内蔵されている。この監視回路および電源回路は、それぞれ前述した各基地局に連通して装備されている。
又、各海底機器には、一方と他方の基地局相互間に光ファイバに沿って設置された配線を介して、必要な動作用電源が供給されている。
【０００５】
図９に、従来公知の海底光ケーブルシステム１００の一部を示す。
この図９に示す海底光ケーブルシステム１００は、一方の基地局１０１と、各基地相互間を結ぶ海底光ケーブル２００と、この海底光ケーブル２００上にあって所定間隔をもって設置された複数の上記海底機器（主に中継器）３００１  ，３００２  ，３００３  ，……，３００  ｎと、この海底機器３００ｎ  に連結された他方の基地局１０２とを備えている。
【０００６】
そして、この各基地局１０１，１０２は、何れからも上記各海底機器３００１  〜３００ｎ  の全体を対象として、監視指令としての光コマンドを近い方から順次送信してその光レスポンスを順次確認し、当該光レスポンスの応答がなければ、障害発生として記録するデータ処理機能を備えている。
【０００７】
具体的には、まず、基地局１０１は、各海底機器３００１  〜３００ｎ  に対して監視信号ＳＢ１が発信する。各海底機器３００１  〜３００ｎ  は、この監視信号ＳＢ１に対する応答信号ＳＢ１１，ＳＢ１２，ＳＢ１３，……，ＳＢ１ｎを基地局１０１に向けて返す。そして、基地局１０１では、応答信号ＳＢ１１〜ＳＢ１ｎを受信して所定に処理を行い、各海底機器３００１  〜３００ｎ  の障害に有無を判定する、という内容のものである。
【０００８】
一方、上記各海底機器３００１  〜３００ｎ  に対する障害発生を検出する関連技術として、従来より特許文献１，２が知られている。
【０００９】
この内、特許文献１は光増幅多段中継伝送路における障害点評価装置に関する技術内容が開示され、特に、海底ケーブルの一端および他端にそれぞれ設けられる基地局の少なくとも一方から、海底ケーブルに挿入された多数の中継器に対し、近い方から順番に１つずつ光コマンドを送信する。そして、その光レスポンスの有無を１つずつ確認していき、もし、その光レスポンスが返ってこなければ、そこで障害が発生しているものと推定するという、技術内容のものが開示されている。
【００１０】
また、特許文献２には光増幅中継器の監視方法が開示され、特に監視対象の個々の特性を考慮した動作監視を可能とし、これをもって信頼性向上を意図した内容のものが開示されている。
【先行技術文献】
【特許文献】
【００１１】
【特許文献１】特開２００６−２７０２７０号公報
【特許文献２】特開２００２−９７０１号公報
【発明の概要】
【発明が解決しようとする課題】
【００１２】
しかしながら、海底光ケーブルは、多くの場合、通信間隔が超長距離であり、図９に示すように複数の海底機器が直列に接続されており、従って、監視信号の伝搬距離も長くなることから、監視精度の向上に際しては、長時間の測定時間を必要とするという不都合があった。
又、上記特許文献１，２についても同様であり、障害に対する高速探索への改善は成されてはいるものの、何れも本質的な課題解決には至ってはいない。
【００１３】
〔発明の目的〕
本発明は、上記関連技術の有する不都合を改善し、監視精度の向上を図り且つ全体的な監視時間を短く設定することが可能な海底ケーブルシステム、監視情報集約型海底機器、システム監視方法、およびその監視用プログラムを提供することを、その目的とする。
【課題を解決するための手段】
【００１４】
上記目的を達成するため、本発明にかかる海底ケーブルシステムは、海底中継伝送路とその両端に接続された陸地側設置の海岸局装置（基地局）とを備え、
前記海底中継伝送路が、光ファイバを内蔵し一方と他方の基地局相互間を接続する海底光ケーブルと、この海底光ケーブルに所定間隔を隔てて装備され前記光ファイバ内を伝搬する光信号の信号レベル補償用の光増幅回路を内蔵した海底中継装置を含む複数の海底機器とを備えて成る海底光ケーブルシステムであって、
前記各海底機器を複数のグループにグループ分けすると共に、各グループに含まれる少なくとも一の海底機器を、同一グループ内の他の各海底機器の動作状態を状態監視データとして捕捉し集約する機能を備えた監視情報集約型海底機器により構成すると共に、
この各監視情報集約型海底機器が、前記各海底機器の動作状態にかかる前記状態監視データを収集した集約監視データとして前記基地局に対して送信する監視情報送信機能を備えている、という構成を採っている。
【００１５】
上記目的を達成するため、本発明にかかる監視情報集約型海底機器は、海底光ケーブルシステムの要部を成す海底光ケーブルに複数の他の海底機器と共に装備された監視情報集約型海底機器であって、
前記海底光ケーブルを介して前記海底光ケーブルシステムの基地局から送られてくる状態監視指令信号又は各他の海底機器から送られてくる状態監視データ信号を受信信号変換部（光電変換器）を介して受信する信号受信部と、
この受信された信号が前記基地局からの状態監視指令か否かを判定すると共に、状態監視指令であると判定された場合に直ちに稼働して予め装備され自機の動作状態を監視する状態監視部に対して動作指令を発信する信号判定部と、
前記状態監視部が稼働して取得した状態監視データを他の海底機器から送り込まれる他機監視データと共に集約監視データとして記憶する集約監視データ記憶部と、
この記憶された集約監視データを所定のタイミングで前記基地局へ送信する集約監視データ送信部とを備えている、という構成を採っている。
【００１６】
上記目的を達成するため、本発明にかかる海底光ケーブルシステム監視方法は、海底中継伝送路と、その両端に接続された陸地側設置の海岸局装置（基地局）とを備え、前記海底中継伝送路が、光ファイバを内蔵し一方と他方の基地局相互間を接続する海底光ケーブルと、この海底光ケーブルに所定間隔を隔てて装備され前記光ファイバ内を伝搬する光信号の信号レベル補償用の光増幅回路を内蔵した海底中継装置を含む複数の海底機器とを備えて成る海底光ケーブルシステムにあって、
予め複数にグループ分けされた各海底機器に対し、当該各海底機器の動作状態を監視する状態監視指令を前記基地局が発信し、
この基地局からの状態監視指令に基づいて稼働し前記各海底機器が自機の稼働状態を監視しその監視結果を状態監視データとして保持すると共に当該状態監視データを前記海底光ケーブルを介して出力し、
この出力された状態監視データを同一グループ内の予め特定された一の海底機器が前記海底光ケーブルを介して受信し当該受信した前記状態監視データが同一グループ内の他の海底機器からの状態監視データか否かを判定し同一グループ内の他機の状態監視データのみを取り込んで格納し、
前記一の海底機器に取り込まれた同一グループ内の他機の状態監視データを当該一の海底機器が自機の状態監視データと共に集約して集約監視データとして保持し、
この集約された同一グループ内の集約監視データを前記各グループの一の海底機器が所定のタイミングで別々に前記基地局へ送信する、という構成を採っている。
【００１７】
上記目的を達成するため、本発明にかかる海底光ケーブルシステム監視プログラムは、海底中継伝送路と、その両端に接続された陸地側設置の海岸局装置（基地局）とを備え、前記海底中継伝送路が、光ファイバを内蔵し一方と他方の基地局相互間を接続する海底光ケーブルと、この海底光ケーブルに所定間隔を隔てて装備され前記光ファイバ内を伝搬する光信号の信号レベル補償用の光増幅回路を内蔵した海底中継装置を含む複数の海底機器とを備えて成る海底光ケーブルシステムにあって、
前記基地局から発信される状態監視指令に基づいて稼働し予め複数にグループ分けされた各海底機器から自機の稼働状態を監視して成る状態監視データが出力された場合に機能し、当該各海底機器の状態監視データをグループ毎に分けて受信する監視データ受信処理機能、
この各海底機器から出力される状態監視データが同一グループ内の各海底機器からの状態監視データか否かを判定し、当該各状態監視データを同一グループ内の各海底機器の識別子に対応させて収集しグループ毎に保持する監視データ集約処理機能、
およびこの収集された同一グループ内の各海底機器の状態監視データを、グループ毎に所定のタイミングで海底光ケーブルを介して前記基地局へ送信する集約監視データ送信処理機能、とを備え、
これらの各処理機能を、予め前記海底機器の各グループ毎に設置したコンピュータに個別に実現させるようにする、という構成を採っている。
【００１８】
上記目的を達成するため、本発明にかかる海底光ケーブルシステム監視プログラムは、海底中継伝送路と、その両端に接続された陸地側設置の海岸局装置（基地局）とを備え、前記海底中継伝送路が、光ファイバを内蔵し一方と他方の基地局相互間を接続する海底光ケーブルと、この海底光ケーブルに所定間隔を隔てて装備され前記光ファイバ内を伝搬する光信号の信号レベル補償用の光増幅回路を内蔵した海底中継装置を含む複数の海底機器とを備えて成る海底光ケーブルシステムにあって、
前記一方の基地局に送られてくる各グループ毎の複数の集約監視データを、当該基地局側に前記各海底機器について予め設定された識別子に基づいて分析し整理統合する監視データ分析処理機能、
および前記各集約監視データに、対応する前記状態監視データの無い海底機器についてはこれを障害発生にかかる異常海底機器として特定し正常海底機器と共に予め装備した表示部に表示する集約監視データ表示処理機能、とを設け、
この各処理機能を、予め前記基地局に設置したコンピュータに実現させるようにする、という構成を採っている。
【発明の効果】
【００１９】
本発明は、上記のように構成したので、これによると、基地局からの状態監視指令により各海底機器は並行して自機の動作状態を監視し状態監視データを収集することから、全体的には状態監視データの収集が短時間内に迅速に行われることなり、収集された状態監視データは各グループの一の海底機器から並行動作で基地局に向けて送信されるので、基地局は、短時間に複数の海底機器全体の状態監視データを取得することができ、従って、状態監視データの収集を迅速に実行することができるという優れた海底光ケーブルシステム、監視情報集約型海底機器、システム監視方法、及びその監視用プログラムを提供することができる。
【図面の簡単な説明】
【００２０】
【図１】本発明にかかる海底光ケーブルシステムの第１実施形態を示す概略ブロック図である。
【図２】図１に開示したシステムの具体的な構成内容を一例を示すブロック図である。
【図３】図２に開示したシステムの一部を成す一の海底機器の監視データ処理にかかる構成内容を示すブロック図である。
【図４】図２に開示したシステムの一部を成す他の海底機器の監視データ処理にかかる構成内容を示すブロック図である。
【図５】図２に開示したシステムの一部を成す監視情報集約型海底機器の監視データ処理にかかる構成内容を示すブロック図である。
【図６】図１に開示したシステムの基本的な動作を示すフローチャートである。
【図７】本発明にかかる海底光ケーブルシステムの第２実施形態を示す概略ブロック図である。
【図８】本発明にかかる海底光ケーブルシステムの第３実施形態を示す概略ブロック図である。
【図９】関連技術における海底光ケーブルシステムの一例を示す概略ブロック図である。
【発明を実施するための形態】
【００２１】
＜第１の実施形態＞
以下、本発明にかかる海底光ケーブルシステムの第１実施形態を、図１乃至図５を参照して説明する。
最初に、本実施形態の基本的な内容について説明し、その後に、具体的な内容について説明する。
【００２２】
図１において、海底光ケーブルシステム１は、海底中継伝送路２と、その両端に接続された陸地側設置の海岸局装置（基地局）３，４とを備えている。
この内、海底中継伝送路２は、複数本の光ファイバを内蔵し一方と他方の基地局相互間を接続する海底光ケーブル２１と、この海底光ケーブル２１に所定間隔を隔てて装備され前記光ファイバ内を伝搬する光信号の信号レベルを補償する光増幅回路を内蔵した海底中継装置を要部とする複数（ｎ個）の海底機器２２１  ，２２２  ，２２３  ，……，２２ｎ  とを備えて構成されている。又、上記複数の各海底機器２２１  〜２２ｎ  は、後述するように、それぞれが自機およびその上流側伝送路の動作状態を監視すると共に、状態監視データとしてこれを保持し必要に応じて外部に送信する機能２２ｇを備えている。
【００２３】
ここで、各海底機器２２１  〜２２ｎ  は、本第１実施形態では、三個一組の複数のグループＧ１，Ｇ２，Ｇ３，……にグループ分けされている。同時に、各グループＧ１，Ｇ２，Ｇ３，……に含まれる少なくとも一の海底機器（図１では各中央に位置する海底機器）を監視情報集約型海底機器２２２  ，２２５  ，……，２２（ｎ−１）  として位置づけている。
【００２４】
この監視情報集約型海底機器２２２  ，２２５  ，……，２２（ｎ−１）  は、他の各海底機器２２１  ，２２３  ，……と同等の機能を有するほか、更に、各グループＧ１，Ｇ２，Ｇ３，……にあって、同一グループ内の各海底機器２２１  ，２２３  ，……から送り出される状態監視データ（監視データ）Ｊ１  ，Ｊ３  ，……を捕捉し集約監視データＳＳとして前記基地局３又は４に対して送信する監視情報送信機能２２Ｇを備えている。
【００２５】
このため、これによると、各海底機器２２１  〜２２ｎ  は、例えば基地局３からの状態監視指令を受信すると直ちに自機およびその上流側伝送路の動作状態の監視を実行し状態監視データを収集し保持することから、全体的には状態監視データの収集が短時間内に迅速に行われることなり、収集された状態監視データは、集約監視データＳＳとして各グループＧ１，Ｇ２，Ｇ３，……内の一の監視情報集約型海底機器２２２  ，２２５  ，……，２２（ｎ−１）  に集約され且つ各グループＧ１，Ｇ２，Ｇ３，……毎に順次（ほぼ同時に）基地局３に向けて送信されるので、基地局３は、短時間に海底機器２２１  〜２２ｎ  全体およびその上流側伝送路の状態監視データを取得することができ、前述した従来型の方式による関連技術の場合に比較して、例えば１／２以下の時間内に、状態監視データの収集を超迅速に実行することができるという利点がある。
【００２６】
以下、これを更に詳述する。
前述した海底光ケーブルシステム１の一方の基地局３は、本来の通信関連部門の外、図２に示す状態監視指令処理部門を備えている。
【００２７】
（基地局について）
この図２において、一方の基地局３は、各海底機器２２１  〜２２  ｎに対して動作状態の監視を指令する状態監視指令ＫＳを生成し発信する状態監視指令発信部３Ａと、この状態監視指令ＫＳを前述した海底光ケーブル２１に向けて送信し且つ当該海底光ケーブル２１を介して送られてくる応答信号（前述した集約監視データ）ＳＳを受信する信号送受信部３Ｂと、この信号送受信部３Ｂと前記海底光ケーブル２１との間に設置された光電変換器としての信号変換器３Ｃとを備えている。
【００２８】
この信号変換器３Ｃは、上記状態監視指令ＫＳを光信号に変換して海底光ケーブル２１へ送り込む電−光変換機能と、海底光ケーブル２１を介して前記各監視情報集約型海底機器２２２  ，２２５  ，……，２２（ｎ−１）  から送られてくる応答信号（集約監視データ）ＳＳを電気信号に変換して取り込む光−電変換機能とを備えている。
【００２９】
更に、この基地局３は、前記各監視情報集約型海底機器２２２  ，２２５  ，……，２２（ｎ−１）  から送られてくる応答信号である集約監視データＳＳを分析し、各海底機器２２１  〜２２  ｎ毎にその上流側伝送路を含む動作状態を分析する応答信号分析回路３Ｄと、この分析結果を各海底機器２２１  〜２２ｎ  毎に対応させて上流側伝送路を含むその動作状態（正常が異常か）を外部に向けて表示する分析結果表示部３Ｅとを備えている。
このため、基地局３のオペレータは、海底機器２２１  〜２２ｎ  およびその上流側伝送路の各動作状態を、前述した状態監視指令ＫＳの発信後の僅かな時間経過後（例えば数分乃至１０数分後）に、当該分析結果表示部３Ｅを介して迅速に得るこができる。
【００３０】
（各海底機器２２１  〜２２ｎ  について）
本第１実施形態では、各海底機器２２１  〜２２ｎ  は、三個一組でグループ分けされ、全体ではｎ／３個のグループＧ１，Ｇ２，Ｇ３，……に区分けされている場合が開示されている（図１，図２参照）。
【００３１】
ここで、前述した各海底機器２２１  〜２２ｎ  は、前記基地局３からの状態監視指令ＫＳに基づいて作動し自己の海底機器本体部分及びその上流側伝送路の動作状態（異常の有無）を探索して捕捉しこれを状態監視データＪ１  〜Ｊｎ  としてデータ記憶部２２Ｃ（又は３５）に記憶する状態監視部２２Ｊ（又は３３）を備えている。
【００３２】
この内、上記監視情報集約型海底機器２２２  ，２２５  ，……，２２（ｎ−１）  を除く前記各海底機器２２１  ，２２３  ，……は、この保持された状態監視データＪ１  ，Ｊ３  ，……を応答監視データとして前記監視情報集約型海底機器２２２  ，２２５  ，……，２２（ｎ−１）  に向けて送信する応答監視データ送信機能２２ｇを備えている。
【００３３】
この場合、前記各監視情報集約型海底機器２２２  ，２２５  ，……，２２（ｎ−１）  は、同一グループ内の基地局３側に位置する海底機器２２１  ，２２４  ，……２２（ｎ−２）  からの各状態監視データＪ１  ，Ｊ４  ，……，Ｊ（ｎ−２）  については、これを、海底光ケーブル２１の一方の光ファイバ２１Ａ（状態監視指令ＫＳの送信側の光ファイバ）を介してそれぞれ捕捉し受信するように機能する。
【００３４】
又、この各監視情報集約型海底機器２２２  ，２２５  ，……，２２（ｎ−１）  は、同一グループ内の前記他方の基地局４側に位置する海底機器２２３  ，２２６  ，……，２２ｎ  からの各状態監視データＪ３  ，Ｊ６  ，……，Ｊｎ  を、海底光ケーブル２１の他方の光ファイバ２１Ｂ（応答信号／集約監視データＳＳ用の返信側の光ファイバ）を介してそれぞれ判別して捕捉し受信するように機能する。
【００３５】
このため、それぞれの状態監視データは、比較的短い送信距離で且つ光通信の流れに沿って送られるので、迅速且つ円滑に、各監視情報集約型海底機器２２２  ，２２５  ，……，２２（ｎ−１）  に集約されるようになっている。
【００３６】
（海底機器の構成例／その１）
次に、各グループＧ１〜Ｇｎ，にあって、監視情報集約型海底機器２２２  ，２２５  ，……，２２（ｎ−１）  の上流側（前記一方の基地局３側）に位置する海底機器２２１  ，２２４  ，……２２（ｎ−２）  について、その構成例を説明する。
【００３７】
まず、海底機器２２１  は、図３に示すように、基地局３からの状態監視指令ＫＳを一方の光ファイバ２１Ａを介して受信する監視指令受信回路２２Ａと、この受信された状態監視指令ＫＳに付勢されて稼働し海底機器２２１  の各構成部分及びその上流側伝送路の動作状態を監視する前述した状態監視部２２Ｊと、この状態監視部２２Ｊが取得した状態監視データＪ１  を記憶する監視データ記憶部２２Ｃと、この記憶された状態監視データＪ１  を所定のタイミングで読み出す監視データ読出制御部２２Ｄと、この読み出した状態監視データＪ１  を海底ケーブル２１の前記一方の光ファイバ２１Ａを介して監視情報集約型海底機器２２２  に向けて送信する信号変換送信部２２Ｅとを備えている。
【００３８】
ここで、監視指令受信回路２２Ａは、状態監視指令ＫＳを光電変換して受信する受信信号変換器２２Ａａと、この受信した状態監視指令ＫＳを状態監視部２２Ｂ及び監視データ読出制御部２２Ｄに振り分ける状態監視指令受信部２２Ａｂとにより構成されている。
【００３９】
又、この監視指令受信部２２Ａｂと前記監視データ読出制御部２２Ｄとの間に、信号遅延回路２２Ｄａが介装されている。この信号遅延回路２２Ｄａは、前述した状態監視部２２Ｊが当該自機内の動作状態にかかるデータを収集するに必要な時間分だけ前記状態監視指令ＫＳを遅延させて監視データ読出制御部２２Ｄに送る機能を備えている。
【００４０】
これにより、監視データ読出制御部２２Ｄは、状態監視部２２Ｂが監視データを収集完了が想定される時間の経過後に当該状態監視指令ＫＳに基づいて稼働し、監視データ記憶部２２Ｃに格納された状態監視データを読み出すことができるように当該読み出し動作にかかる所定の動作タイミングが設定されるようになっている。
【００４１】
又、他のグループＧ２，……，Ｇｎにあって、一方の基地局３側に位置する前述した他の海底機器２２４  ，……，２２（ｎ−２）  も、その構成及びその機能は、上述した海底機器２２１  と同一に構成され、同一に機能するようになっている。
【００４２】
（海底機器の構成例／その２）
続いて、各グループＧ１〜Ｇｎ，にあって、前記監視情報集約型海底機器２２２  ，２２５  ，……，２２（ｎ−１）  の下流側（前記他方の基地局４側）に位置する海底機器２２３  ，２２６  ，……，２２ｎ  について、その構成例を説明する。
【００４３】
まず、海底機器２２３  は、図４に示すように、前述した海底機器２２１  （図３参照）と同等に機能する構成要素を備えている。
即ち、この海底機器２２３  は、前述した海底機器２２１  と同等に機能する監視指令受信回路２２Ａ及び状態監視部２２Ｊを備え、この状態監視部２２Ｊが取得した状態監視データＪ３  を記憶する監視データ記憶部２２Ｃと、この記憶された状態監視データＪ３  を所定のタイミングで読み出す監視データ読出制御部２２Ｄと、この読み出した状態監視データＪ３  を海底ケーブル２１の前記他方の光ファイバ２２Ａを介して監視情報集約型海底機器２２２  に向けて送信する信号変換送信部２２Ｆとを備えている。
【００４４】
ここで、監視指令受信回路２２Ａは、状態監視指令ＫＳを光電変換して受信する受信信号変換器２２Ａａと、この受信した状態監視指令ＫＳを状態監視部２２Ｊおよび監視データ読出制御部２２Ｄに振り分ける監視指令入力部２２Ａｂとにより構成されている。
【００４５】
又、この監視指令入力部２２Ａｂと前記監視データ読出制御部２２Ｄとの間には信号遅延回路２２Ｄａが介装されている。この信号遅延回路２２Ｄａは、前述した状態監視部２２Ｊが当該自機内の動作状態にかかるデータを収集するに必要な時間分だけ前記状態監視指令ＫＳを遅延させて監視データ読出制御部２２Ｄに送り込む機能を備えている。
【００４６】
これにより、監視データ読出制御部２２Ｄが、状態監視部２２Ｊが監視データを収集した後に状態監視指令ＫＳに付勢されて稼働し、監視データ記憶部２２Ｃに格納された状態監視データを読み出すことができるように当該読み出し動作にかかる所定の動作タイミングが設定されている。
【００４７】
他方の基地局４側に位置する前述した他の海底機器２２６  ，……，２２ｎ  も、その構成及びその機能，動作は、上述した海底機器２２３  と同一に構成され、同一の機能，動作を備えたものとなっている。
【００４８】
（監視情報集約型海底機器の構成例）
次に、各グループＧ１〜Ｇｎ，にあって、各海底機器の中央部に位置する監視情報集約型海底機器２２２  ，２２５  ，……，２２（ｎ−１）  について、その構成例を説明する。
【００４９】
まず、監視情報集約型海底機器２２２  は、図５に示すように、一方と他方の光ファイバを備えた海底光ケーブル２１を介して送られてくる光信号を受信信号変換部（光電変換器）３１を介して受信する信号受信部３２と、この受信された受信信号が一方の基地局３から発信された各海底機器に対する状態監視指令ＫＳか否かを判定すると共に状態監視指令ＫＳであると判定した場合に直ちに稼働して予め装備された自機動作状態監視用の状態監視部３３に対して動作指令を発信する信号判別部３４とを備えている。
【００５０】
即ち、上記信号判別部３４は、受信信号が状態監視指令ＫＳか否かを判定する監視指令判定機能３４Ａと、状態監視指令ＫＳに受信にタイミングで前記状態監視部３３に対して動作指令を発信する動作指令発信機能３４Ｂとを備えている。
【００５１】
更に、この監視情報集約型海底機器２２２  は、前記状態監視部３３が稼働して当該海底機器２２２  内部の各構成要素の稼働状態を状態監視データＪ２  として取得した場合に他の海底機器から送り込まれる他機監視データＪ１  ，Ｊ３  と共に集約監視データＳＳとして記憶する集約監視データ記憶部３５と、この記憶された集約監視データＳＳを所定のタイミングで読み出すと共にこの読み出した集約監視データＳＳを海底光ケーブル２１（他方の光ファイバ２１Ｂ）を介して前記一方の基地局３へ向けて送信する集約監視データ送信部３６とを備えている。
【００５２】
ここで、上記集約監視データ送信部３６は、集約監視データ記憶部３５から所定のタイミングで集約監視データＳＳを読み出す集約監視データ読出制御部３６Ａと、この読み出した集約監視データＳＳを前記基地局３への送信用として電気−光変換して出力する信号変換送信部３６Ｂとを備えて構成されている。
【００５３】
更に、前述した信号判別部３４は、信号受信回路３２で受信された前記受信信号が他機監視データＪ１  ，Ｊ３  か否か判定する他機監視データ判定機能３４Ｃを備えている。
そして、この受信された前記信号が他機監視データＪ１  ，Ｊ３  であると判定された場合に稼働し当該他機監視データＪ１  ，Ｊ３  を前記集約監視データ記憶部３５に記憶制御する他機監視データ記憶制御部３７が、前記信号判別部３４に連結装備されている。
即ち、この他機監視データ記憶制御部３７は、同一グループ内の他の海底機器の動作状態を状態監視データとして捕捉し集約する機能を備えている。
【００５４】
ここで、上記信号判別部３４と集約監視データ読出制御部３６Ａとの間に、信号遅延回路３８が介装されている。この信号遅延回路３８は、前述した状態監視部３３が当該自機内の前記状態監視データＪ２  を収集するに必要な時間および同時進行の前記他機監視データＪ１  ，Ｊ３  が受信され共に集約監視データ記憶部３５に格納されるに必要な時間分だけ前記状態監視指令ＫＳを遅延させて、集約監視データ読出制御部３６Ａに送り込む機能を備えている。この状態監視指令ＫＳの遅延送出時間は、一方では正常状態における他機監視データＪ１  ，Ｊ３  の応答出力時間に相当する。
【００５５】
この信号遅延回路３８により、集約監視データ読出制御部３６Ａが、状態監視データＪ２  および同時進行の他機監視データＪ１  ，Ｊ３  が集約監視データ記憶部３５に格納されるに十分な経過時間後に、状態監視指令ＫＳに付勢されて稼働し、集約監視データを高精度に円滑に読み出すことができるように、当該読み出し動作にかかる所定の動作タイミングが設定されている。
【００５６】
即ち、上記十分な経過時間（応答出力時間）内に他機監視データＪ１  ，Ｊ３  が入力されない場合には、当該他機監視データＪ１  ，Ｊ３  に相当する海底機器２２１  ，２２３  に異常が発生したものと推定することが前提となっている。この推定内容は、後述する基地局３の監視データ表示時に具体的に実行される。
【００５７】
このため、上記監視情報集約型海底機器２２２  は、同一グループＧ１内の他の各海底機器２２１  ，２２３  の状態監視データＪ１  ，Ｊ３  と共に自機の状態監視データＪ２  を合わせた集約監視データＳＳを、海底光ケーブル２１（他方の光ファイバ２１Ｂ）を介して前記一方の基地局３へ一括して効率良く且つ迅速に送信することが可能となっている。
【００５８】
他の監視情報集約型海底機器２２５  ，……，２２（ｎ−１）  についても、上述した監視情報集約型海底機器２２２  と同一の構成要素を備えて構成され、上述した監視情報集約型海底機器２２２  と同一に機能することができるようになっている。
【００５９】
（システムの動作）
次に、本第１実施形態における海底光ケーブルシステムのシステム監視時における基本形な動作を、図６を参照して説明する。
【００６０】
まず、陸地側設置の基地局（海岸局装置）３は、海底光ケーブル２１を介して、予め複数にグループ分けされた各海底機器２２１  〜２２ｎ  に対し、当該各海底機器２２１  〜２２ｎ  の動作状態を監視する状態監視指令ＫＳを発信する（図６：ステップＳ６０１／第１の工程）。
【００６１】
続いて、この基地局３からの状態監視指令ＫＳに基づいて稼働し前記各海底機器２２１  〜２２ｎ  が、それぞれ自機及びその上流側伝送路の動作状態を監視しその監視結果を状態監視データＪ１  〜Ｊｎ  として保持すると共に当該状態監視データＪ１  〜Ｊｎ  を前記海底光ケーブルを介して個別に出力する（図６：ステップＳ６０２／第２の工程）。
【００６２】
次に、この出力された状態監視データＪ１  ，Ｊ２  ，……，Ｊｎ  を同一グループＧ１，Ｇ２，……内の予め特定された一の海底機器２２２  ，２２５  ，……が前記海底光ケーブル２１を介して受信する。そして、当該受信した前記状態監視データが同一グループ内の他の海底機器からの状態監視データか否かを判定し、同一グループ内の他機の状態監視データのみを取り込んで格納する（図６：ステップＳ６０３／第３の工程）。
【００６３】
次に、前記一の海底機器２２２  ，２２５  ，……に取り込まれた同一グループ内の他機の状態監視データを、当該一の海底機器２２２  ，２２５  ，……が自機の状態監視データと共に集約すると共に、集約監視データＳＳとして保持する（図６：ステップＳ６０４／第４の工程）。
【００６４】
そして、この集約された同一グループ内の集約監視データＳＳを前記各グループＧ１，Ｇ２，……の一の海底機器２２２  ，２２５  ，……が所定のタイミングで別々に前述した基地局３へ送信する（図６：ステップＳ６０５／第５の工程）。
【００６５】
ここで、上記基地局３への集約監視データＳＳの送信する上記第５の工程にあっては、前記状態監視データが受信されていない海底機器については、異常発生にかかる海底機器としてこれに対応する前記状態監視データが無い状態の集約監視データを、そのまま送信対象とする。
【００６６】
そして、前記一方の基地局３では、送られてくる各グループＧ１，Ｇ２，……毎の複数の集約監視データＳＳを、当該基地局３側にて前記各海底機器２２１  〜２２ｎ  について予め設定された識別子に基づいて整理統合し、この前記各集約監視データＳＳ内に、対応する前記状態監視データの無い海底機器についてはこれを障害発生にかかる異常海底機器として特定し表示する（図６：ステップＳ６０６／第６の工程）。
【００６７】
このため、これによると、各海底機器２２１  〜２２ｎ  は、基地局３からの状態監視指令を受信すると、それぞれが並行に稼働して自機及びその上流側伝送路の動作状態の監視を実行し状態監視データを並行して収集し保持することから、全体的には状態監視データの収集が短時間内に且つ迅速に行われることなり、収集された状態監視データは集約監視データＳＳとして各グループＧ１，Ｇ２，Ｇ３，……内の一の監視情報集約型海底機器２２２  ，２２５  ，……，２２（ｎ−１）  に集約され且つ各グループＧ１，Ｇ２，Ｇ３，……毎に順次（ほぼ同時に）基地局３に向けて送信されるので、基地局３は、短時間に海底機器２２１  〜２２ｎ  全体の状態監視データを取得することができ、前述した従来型の方式による関連技術の場合に比較して、例えば１／２以下の超短時間内に、状態監視データの収集を超迅速に実行することができるという利点がある。
【００６８】
即ち、本第１実施形態にかかる海底光ケーブルシステム１は、上述したように構成され機能するので、これによると、基地局３側では、上述した各海底機器２２１  〜２２ｎ  の異常状態の有無を円滑に且つ迅速に収集し確認することが可能となる。そして、上記システムの実行に際しては、各グループＧ１，Ｇ２，……が同時に並行して稼働することから、各海底機器２２１  〜２２ｎ  を個別に順次チェックする従来例と比較して数分の１の所要時間で、異常状態の有無を超迅速に収集し確認することが可能となる。
【００６９】
尚、上記第１実施形態では、海底機器を３個ずつの複数のグループに区分けする場合を例示したが、海底機器の１グループ内の数については、これに限定するものでは無く、例えば１０個ずつ、更には２０個ずつに区分けして複数のグループを構成するようにしてもよい。
【００７０】
＜第２実施形態＞
次に、本発明にかかる海底光ケーブルシステムの第２実施形態を、図７を参照して説明する。ここで、前述した第１実施形態の場合と同一の構成部材については同一の符号を用いるものとする。
【００７１】
この第２実施形態において、海底光ケーブルシステム１０は、前述した海底光ケーブル２１と、この海底光ケーブル２１上に不規則に区分けされて装備された複数の海底機器４２１  〜４２ｎ  とを備えている。
【００７２】
即ち、この第２実施形態では、海底機器４２１  〜４２ｎ  の区分けに際して、前述した第１実施形態が等価ブロック単位に均等に区分けしたのに対して、その数を一部不規則に区分けした点に特徴を有する。
【００７３】
即ち、図７に示すように、第１のグループＧ１にあっては、８個の海底機器４２１  〜４２８  を装備すると共に、図示はしてないが、第２のグループＧ２にあっては１５個、次の第３のグループＧ３以降のグループはそれぞれ１０個ずつに区分けされている。
【００７４】
ここで、図７の第１グループＧ１にあっては、海底機器４２５  は、図５に開示した監視情報集約型海底機器４２２  と同等の監視情報集約型海底機器で構成されている。又、一方の基地局３側に位置する海底機器４２１  〜４２４  は、それぞれが図３に開示した海底機器２２１  と同等の海底機器で構成されている。更に、基地局３とは反対側に位置する海底機器４２６  〜４２８  は、それぞれ図４に開示した海底機器２２３  と同等の海底機器で構成されている。他のグループＧ２等についても同様である。
その他の構成およびその動作は、前述した第１実施形態の場合と同一となっている。
【００７５】
このようにしても、前述した第１実施形態の場合と同等の作用効果を得ることができ、更に、複雑な構成を有する監視情報集約型海底機器の数を少なくすることができるので、設備費を更に低く設定することができるという利点がある。
【００７６】
＜第３の実施形態＞
次に、本発明にかかる海底光ケーブルシステムの第３実施形態を図８を参照して説明する。ここで、前述した第１実施形態と同一の構成部材については同一の符号を用いるものとする。
【００７７】
この第３実施形態においては、海底光ケーブルシステム１２は、分岐構造の海底光ケーブル５１と、この海底光ケーブル５１上に装備された複数の海底機器５２１  〜５２ｎ  とを備えている。
【００７８】
この内、分岐構造の海底光ケーブル５１には、少なくとも２か所の分岐点５０ａ，５０ｂにて分岐光ケーブル５１ａ，５１ｂが連結装備されている。また、この各分岐点５０ａ，５０ｂには、後述するように、光中継器としての機能を備えた光ケーブル用分岐機５３１  ，５３２  が、それぞれ設置されている。
この各光ケーブル用分岐機５３１  ，５３２  には、前述した第１実施形態における監視情報集約型海底機器２２２  と同等の状態監視機能および状態監視データの集約を実行するのに必要な各構成要素が内蔵されている。
【００７９】
又、上記分岐構造の海底光ケーブル５１には、前述した第１実施形態における海底機器２２１  〜２２ｎ  と同等の海底機器５２１  〜５２４  ，５２６  〜５２８  ，……  が装備されている。同時に、分岐光ケーブル５１Ａ，５１Ｂにも、上述した海底光ケーブル５１の場合と同様に、前述した海底機器５２６  ，５２７  ，５２８  と同等に構成された複数の海底機器６２１  ，６２２  ，６２３  ，……、６３１  ，６３２  ，６３３  ，……、がそれぞれ設置されている。
【００８０】
ここで、分岐光ケーブル５１Ａに設置された複数の海底機器６２１  ，６２２  ，６２３  ，……は、図８に示すように、第１のグループＧ１の光ケーブル用分岐機５３１  に接続されている。このため、海底機器６２１  ，６２２  ，６２３  ，……にて収集される状態監視データは、上記光ケーブル用分岐機５３１  に集約されるようになっている。
【００８１】
同様に、上記分岐光ケーブル５１Ｂに設置された複数の海底機器６３１  ，６３２  ，６３３  ，……は、図８に示すように、第２のグループＧ２の光ケーブル用分岐機５３２  に接続されている。このため、海底機器６３１  ，６３２  ，６３３  ，……にて収集される状態監視データは、第２のグループＧ２の光ケーブル用分岐機５３２  に集約されるようになっている。
【００８２】
ここで、図８の第１グループＧ１にあって、光ケーブル用分岐機５３１  を基準として一方の基地局３側に位置する海底機器５２１  〜５２４  のそれぞれは、図３に開示した海底機器２２１  と同等の海底機器で構成されている。又、基地局３とは反対側に位置する海底機器５２６  〜５２８  及び前述した分岐光ケーブル５１Ａ上の海底機器６２１  ，６２２  ，６２３  ，……については、それぞれが図４に開示した海底機器２２３  と同等の海底機器で構成されている。
【００８３】
他のグループＧ２等についても同様である。
その他の具体的な構成およびその作用効果は、前述した第１実施形態の場合と同一となっている。
【００８４】
このようにしても、前述した第１実施形態の場合と同等の作用効果を得ることができ、更に、複雑な構成を有する監視情報集約型海底機器の数を少なくすることができるので、設備費を幾分低く設定することができるという利点がある。
【００８５】
＜変形例＞
次に、上記第１実施形態（図１）の変形例について説明する。
上記各実施形態において、各グループの内の一の海底機器である監視機能内蔵型の海底機器２２２  が、基地局３の状態監視指令ＫＳを受けた場合、同一グループ内の各海底機器に２２１  ，２２３  に監視副信号発信し、当該各海底機器２２１  ，２２３  からの応答信号を受信して解析する。さらに、監視機能内蔵型海底機器２２２  は、同一グループ内の各海底機器に２２１  ，２２３  における測定結果をまとめて、基地局３に測定結果信号をまとめて送信する。
【００８６】
このようにしても、一定の監視精度を保持するとともに、監視時間を短くすることが可能となる。この場合、同一グループ内の各海底機器に２２１  ，２２３  発する監視副信号および応答信号の送信距離が短くなるので、一定の監視精度を保持するとともに、監視時間を短くできる。
【００８７】
上記各実施形態については、その新規な技術的内容の要点をまとめると、以下のようになる。尚、この技術的内容については、本発明をこれに限定するものではない。
【００８８】
〔付記１〕（グループ毎に監視データを送信）
海底中継伝送路とその両端に接続された陸地側設置の海岸局装置（基地局）とを備え、  前記海底中継伝送路が、光ファイバを内蔵し一方と他方の基地局相互間を接続する海底光ケーブルと、この海底光ケーブルに所定間隔を隔てて装備され前記光ファイバ内を伝搬する光信号の信号レベル補償用の光増幅回路を内蔵した海底中継装置を含む複数の海底機器とを備えて成る海底光ケーブルシステムであって、
前記各海底機器を複数のグループにグループ分けすると共に、各グループに含まれる少なくとも一の海底機器を、同一グループ内の他の各海底機器及びその上流側伝送路の動作状態を状態監視データとして捕捉し集約する機能を備えた監視情報集約型海底機器により構成すると共に、
この各監視情報集約型海底機器が、前記各海底機器及びその上流側伝送路の動作状態にかかる前記状態監視データを収集した集約監視データとして前記基地局に対して送信する監視情報送信機能を備えていることを特徴とした海底光ケーブルシステム。
【００８９】
〔付記２〕（監視データの集約）
付記１に記載の海底光ケーブルシステムにおいて、
前記監視情報集約型海底機器及び前記各海底機器は、
前記基地局からの状態監視指令に基づいて作動し自己の海底機器及びその上流側伝送路全体の異常の有無を捕捉しこれを状態監視データとして記憶部に記憶する状態監視部を備え、
前記監視情報集約型海底機器を除く前記各海底機器は、この保持された状態監視データを応答監視データとして同一グループ内の前記監視情報集約型海底機器に向けて送信する応答監視データ送信機能を備えていることを特徴とした海底光ケーブルシステム。
【００９０】
〔付記３〕（集約データ送信部）
付記２に記載の海底光ケーブルシステムにおいて、
前記監視情報集約型海底機器は、前記各海底機器から送られてくる応答監視データを自己の海底機器にかかる応答監視データと共に集約監視データとして記憶する集約監視データ記憶部を備えると共に、この記憶された集約監視データを前記基地局に送信する集約データ送信部とを備えていることを特徴とした海底光ケーブルシステム。
【００９１】
〔付記４〕（海底中継器がベース）
付記１乃至３の何れか一つに記載の海底光ケーブルシステムにおいて、
前記監視情報集約型海底機器及び前記各海底機器は、それぞれが海底光ケーブル内の光ファイバ中を伝搬する光信号の信号レベル補償用の光増幅回路を内蔵した海底中継器をベースとして構成されたものであることを特徴とした海底光ケーブルシステム。
【００９２】
〔付記５〕（等化ブロック単位に区分け）
付記１に記載の海底光ケーブルシステムにおいて、
前記海底機器の各グループは、それぞれが同一の数の海底機器による等化ブロック単位に区分けされていることを特徴とした海底ケーブルシステム。
【００９３】
〔付記６〕（ブランチ構造への適用）
付記１に記載の海底光ケーブルシステムにおいて、
前記監視情報集約型海底機器は、前記海底ケーブルがブランチ構造である場合には、ブランチ単位で設けられていることを特徴とした海底光ケーブルシステム。
【００９４】
〔付記７〕（分析結果の出力表示）
付記１乃至６の何れか一つに記載の海底光ケーブルシステムにおいて、
前記海岸局装置（基地局）は、
前記各海底機器に対する状態監視指令ＫＳを生成する状態監視指令発信部と、この生成された状態監視指令を前記海底ケーブルを介して前記各海底機器に送信すると共に前記監視情報集約型海底機器から送られてくる応答信号である集約監視データを受信する信号送受信部と、
この受信された集約監視データを前記海底機器毎に分析し前記監視情報集約型海底機器を含む前記各海底機器毎に当該海底機器及びその上流側伝送路の動作状態が正常か否かを出力表示する分析結果出力表示部とを備えていることを特徴とした海底光ケーブルシステム。
【００９５】
〔付記８〕（監視情報集約型海底機器）
海底光ケーブルシステム１の要部を成す海底光ケーブルに複数の他の海底機器と共に装備された監視情報集約型海底機器であって、
前記海底光ケーブルを介して前記海底光ケーブルシステムの基地局から送られてくる状態監視指令信号又は他の海底機器から送られてくる状態監視データ信号を受信信号変換部（光電変換器）を介して受信する信号受信部と、
この受信された信号が前記基地局から発信された海底機器に対する状態監視指令か否かを判定すると共に、状態監視指令であると判定された場合に直ちに稼働して予め装備され自機の動作状態を監視する状態監視部に対して動作指令を発信する信号判別部と、
前記状態監視部が稼働して取得した状態監視データを他の海底機器から送り込まれる他機監視データと共に集約監視データとして記憶する集約監視データ記憶部と、
この記憶された集約監視データを所定のタイミングで前記基地局へ送信する集約監視データ送信部とを備えたことを特徴とした監視情報集約型海底機器。
【００９６】
〔付記９〕（他機監視データの記憶制御部）
付記８に記載の監視情報集約型海底機器において、
前記信号判別部は、受信された前記信号が他機監視データか否か判定する他機監視データ判定機能を備えると共に、
この受信された前記信号が他機監視データであると判定された場合に稼働し当該他機監視データを前記集約監視データ記憶部に記憶制御する他機監視データ記憶制御部を備えていることを特徴とした監視情報集約型海底機器。
【００９７】
〔付記１０〕（方法の発明）
海底中継伝送路と、その両端に接続された陸地側設置の海岸局装置（基地局）とを備え、前記海底中継伝送路が、光ファイバを内蔵し一方と他方の基地局相互間を接続する海底光ケーブルと、この海底光ケーブルに所定間隔を隔てて装備され前記光ファイバ内を伝搬する光信号の信号レベル補償用の光増幅回路を内蔵した海底中継装置を含む複数の海底機器とを備えて構成されて成る海底光ケーブルシステムにあって、
予め複数にグループ分けされた各海底機器に対し、当該各海底機器及びその上流側伝送路の動作状態を監視する状態監視指令を前記基地局が発信し（第１の工程）、
この基地局からの状態監視指令に基づいて稼働し前記各海底機器が自機及びその上流側伝送路の稼働状態を監視しその監視結果を状態監視データとして保持すると共に当該状態監視データを前記海底光ケーブルを介して出力し（第２の工程）、
この出力された状態監視データを同一グループ内の予め特定された一の海底機器が前記海底光ケーブルを介して受信し当該受信した前記状態監視データが同一グループ内の他の海底機器からの状態監視データか否かを判別し同一グループ内の他機の状態監視データのみを取り込んで格納し（第３の工程）、
前記一の海底機器に取り込まれた同一グループ内の他機の状態監視データを当該一の海底機器が自機の状態監視データと共に収集して集約監視データとして保持し（第４の工程）、
この集約された同一グループ内の集約監視データを前記各グループの一の海底機器が別々に所定のタイミングで前記基地局へ送信する（第５の工程）ようにしたことを特徴とする海底光ケーブルシステム監視方法。
【００９８】
〔付記１１〕（状態監視データが無い状態の集約監視データ）
付記１０に記載の海底光ケーブルシステム監視方法において、
前記基地局への集約監視データの送信する工程にあっては、前記状態監視データが受信されていない海底機器については、異常発生にかかる海底機器としてこれに対応する前記状態監視データが無い状態の集約監視データを、そのまま送信対象とすることを特徴とした海底光ケーブルシステム監視方法。
【００９９】
〔付記１２〕（異常海底機器の特定）
付記１０又は１１に記載の海底光ケーブルシステム監視方法において、
前記一方の基地局に送られてくる各グループ毎の複数の集約監視データを、当該基地局側に前記各海底機器について予め設定された識別子に基づいて整理統合し、この前記各集約監視データ内に対応する前記状態監視データの無い海底機器についてはこれを障害発生にかかる異常海底機器として特定し表示すること（第６の工程）を特徴とした海底光ケーブルシステム監視方法。
【０１００】
〔付記１３〕（プログラム発明）
海底中継伝送路と、その両端に接続された陸地側設置の海岸局装置（基地局）とを備え、前記海底中継伝送路が、光ファイバを内蔵し一方と他方の基地局相互間を接続する海底光ケーブルと、この海底光ケーブルに所定間隔を隔てて装備され前記光ファイバ内を伝搬する光信号の信号レベル補償用の光増幅回路を内蔵した海底中継装置を含む複数の海底機器とを備えて構成されて成る海底光ケーブルシステムにあって、
前記基地局から発信される状態監視指令に基づいて稼働し予め複数にグループ分けされた各海底機器から自機及びその上流側伝送路の稼働状態を監視して成る状態監視データが出力された場合に機能し、当該各海底機器及びその上流側伝送路の状態監視データをグループ毎に分けて受信する監視データ受信処理機能、
この各海底機器から出力される状態監視データが同一グループ内の各海底機器からの状態監視データか否かを判定し、当該各状態監視データを同一グループ内の各海底機器の識別子に対応させて収集しグループ毎に保持する監視データ集約処理機能、
およびこの収集された同一グループ内の各海底機器の状態監視データを、グループ毎に所定のタイミングで海底光ケーブルを介して前記基地局へ送信する集約監視データ送信処理機能、とを設け、
これらの各処理機能を、予め前記海底機器の各グループ毎に設置したコンピュータに個別に実現させるようにしたことを特徴とする海底光ケーブルシステム監視プログラム。
【０１０１】
〔付記１４〕（状態監視データが無い状態）
付記Ｉ３に記載の海底光ケーブルシステム監視プログラムにおいて、
前記基地局へ送信する集約監視データ送信処理機能にあっては、
前記状態監視データが受信されていない海底機器については、異常発生にかかる海底機器としてこれに対応する前記状態監視データが無い状態の集約監視データを、そのまま送信処理の対象としてプログラム化することを特徴とした海底光ケーブルシステム監視プログラム。
【０１０２】
〔付記１５〕（異常海底機器の特定）
海底中継伝送路と、その両端に接続された陸地側設置の海岸局装置（基地局）とを備え、前記海底中継伝送路が、光ファイバを内蔵し一方と他方の基地局相互間を接続する海底光ケーブルと、この海底光ケーブルに所定間隔を隔てて装備され前記光ファイバ内を伝搬する光信号の信号レベル補償用の光増幅回路を内蔵した海底中継装置を含む複数の海底機器とを備えて構成されて成る海底光ケーブルシステムにあって、
前記一方の基地局に送られてくる各グループ毎の複数の集約監視データを、当該基地局側に前記各海底機器について予め設定された識別子に基づいて分析し整理統合する監視データ分析処理機能、
および前記各集約監視データに、対応する前記状態監視データの無い海底機器についてはこれを障害発生にかかる異常海底機器として特定し正常海底機器と共に予め装備した表示部に表示する集約監視データ表示処理機能、とを設け、
この各処理機能を、予め前記基地局に設置したコンピュータに実現させるようにしたことを特徴とする海底光ケーブルシステム監視プログラム。
【産業上の利用可能性】
【０１０３】
本発明は、長距離通信，短距離通信を問わず、海底光ケーブル通信の全ての分野において有効に利用される。
【符号の説明】
【０１０４】
１，１０，１２  海底光ケーブルシステム
２  海底中継伝送路（伝送路）
３，４  基地局（海岸局装置）
３Ａ  状態監視指令発信部
３Ｂ  信号送受信部
３Ｃ  信号変換器
３Ｄ  応答信号分析回路
３Ｅ  分析結果出力表示部
２１，４１，４１Ａ，４１Ｂ  海底光ケーブル
２１Ａ，２１Ｂ  光ファイバー
２２１  ，２２３  ，２２５  ，…，２２（ｎ−２）  、４２１  〜４２４  ，４２６  ，…、５２１  〜５２４  ，５２６  ，…、６２１  ，６２２  ，６２３  ，…、６２１  ，６２２  ，６２３  ，…、  海底機器
２２２  ，２２５  ，２２８  ，…，２２（ｎ−１）  、４２５  ，４２１３，…  監視情報集約型海底機器
２２Ｇ  監視情報送信機能
２２ｇ  応答監視データ送信機能
２２Ｊ，３３  状態監視部
３２  信号受信部
３４  信号判別部
３４Ａ  監視指令判定機能
３４Ｂ  動作指令発信機能
３４Ｃ  他機監視データ判定機能
３５  集約監視データ記憶部
３６  集約監視データ送信部
３７  他機監視データ記憶制御部
５３１  ，５３３  ，……  光ケーブル用分岐機
Ｇ１  第１グループ
Ｇ２  第２グループ
Ｊ１  ，Ｊ２  ，Ｊ３  ……応答監視データ（状態監視データ）
ＫＳ  状態監視指令
ＳＳ  集約監視データ
【図１】
2014197788.tif 000003
【図２】
2014197788.tif 000004
【図３】
2014197788.tif 000005
【図４】
2014197788.tif 000006
【図５】
2014197788.tif 000007
【図６】
2014197788.tif 000008
【図７】
2014197788.tif 000009
【図８】
2014197788.tif 000010
【図９】
2014197788.tif 000011